(57)【要約】【課題】不特定多数のユーザが使用する機器から、ユーザごとに個別に、簡便に情報を収集・記録する。【解決手段】ユーザは、展示された複数のカメラ１００のうち、所望のカメラ１００の性能を実際に撮影を行うことで確かめる。例えばユーザ２−１が、あるカメラ１００−Ａ、１００−Ｂ・・の画像の写り具合を、実際に画像データを入手することで確かめたければ、カメラ１００−Ａ、１００−Ｂ・・の下に行き、カメラ１００−Ａ、１００−Ｂ・・をそれぞれ操作して画像取得動作を行う。この際、カメラ１００−Ａ、１００−Ｂ・・はそれぞれ、取得した画像データを、人体通信電極１４４に触れたユーザ２−１の人体を介して情報記録装置３００−１に送る。情報記録装置３００−１は、人体通信電極３００ａに触れたユーザ２−１の人体を介して、カメラ１００から受信した画像データをメモリカード２００−１に記録する。【選択図】  図４
2007288493.tif 000002
【特許請求の範囲】
【請求項１】
撮影レンズによって結像した被写体像を撮像素子により光電変換することで画像を取得する撮像部、導電性の第１の接触部、および前記撮像部の取得した画像その他の情報を撮影者の人体を導通可能な微弱な電気信号に変調して前記第１の接触部から送信する第１の通信部を備える撮像装置と、
導電性の第２の接触部、前記第２の接触部から前記電気信号を受信して前記撮像部の取得した画像その他の情報に復調する第２の通信部、および前記第２の通信部の復調した画像その他の情報を可搬性の記録媒体に記録する記録部を備える情報記録装置と、
を備える情報記録システム。
【請求項２】
前記第１の接触部は、前記撮像装置に設けられたレリーズスイッチ、グリップ部、指載置部その他前記撮像部による前記画像の取得時において前記人体の接触する位置に配置されている請求項１に記載の情報記録システム。
【請求項３】
前記情報記録装置は、前記第２の通信部および前記記録部が一体形成されたカード型の基板、および前記カード型の基板を収納して前記第２の接触部と前記第２の通信部とを接続するホルダ部をさらに備える請求項１または２に記載の情報記録システム。
【請求項４】
前記第２の接触部は、ネックストラップ、バッジ、ステッカー、腕輪その他前記人体に係留可能もしくは装着可能に構成されている請求項１〜３のいずれかに記載の情報記録システム。
【請求項５】
所定の会場における設置物の近傍に設置された導電性の第１の接触部、設置物に関する情報である設置物情報を格納する情報格納部、および前記情報格納部に格納されている設置物情報を前記会場の入場者の人体を導通可能な微弱な電気信号に変調して前記第１接触部から送信する第１の通信部を備える情報提供装置と、
導電性の第２の接触部、前記第２の接触部から前記電気信号を受信して前記設置物情報に復調する第２の通信部、および前記第２の通信部の復調した設置物情報を可搬性の記録媒体に記録する記録部を備える情報記録装置と、
を備える情報記録システム。
【請求項６】
前記情報記録装置は、前記第２の通信部および前記記録部が一体形成されたカード型の基板、および前記カード型の基板を収納して前記第２の接触部と前記第２の通信部とを接続するホルダ部をさらに備える請求項５に記載の情報記録システム。
【請求項７】
前記第２の接触部は、ネックストラップ、バッジ、ステッカー、腕輪その他前記人体に係留可能もしくは装着可能に構成されている請求項５または６に記載の情報記録システム。
【請求項８】
導電性の第１の接触部、所定の会場の入場者に関する情報である入場者情報を格納する情報格納部、および前記情報格納部に格納されている入場者情報を前記入場者の人体を導通可能な微弱な電気信号に変調して送信する第１の通信部を備える情報提供装置と、
前記所定の会場における設置物の近傍に設置された導電性の第２の接触部、前記第２の接触部から前記電気信号を受信して前記入場者情報に復調する第２の通信部、および前記第２の通信部の復調した入場者情報を所定の記録媒体に記録する記録部を備える情報記録装置と、
を備える情報記録システム。
【請求項９】
前記情報提供装置は、前記第１の通信部および前記情報格納部が一体形成されたカード型の基板、および前記カード型の基板を収納して前記第１の接触部と前記第１の通信部とを接続するホルダ部をさらに備える請求項８に記載の情報記録システム。
【請求項１０】
前記第１の接触部は、ネックストラップ、バッジ、ステッカー、腕輪その他前記人体に係留可能もしくは装着可能に構成されている請求項８または９に記載の情報記録システム。
【請求項１１】
導電性の接触部、前記接触部から人体を導通可能な微弱な電気信号を受信して画像その他の情報に復調する通信部、および前記通信部の復調した画像その他の情報を可搬性の記録媒体に記録する記録部、前記通信部および前記記録部が一体形成されたカード型の基板、および前記カード型の基板を収納して前記接触部と前記通信部とを接続するホルダ部を備え、前記接触部は、ネックストラップ、バッジ、ステッカー、腕輪その他前記人体に係留可能もしくは装着可能に構成されている情報記録装置。
【請求項１２】
導電性の接触部、所定の会場の入場者に関する情報である入場者情報を格納する情報格納部、および前記情報格納部に格納されている入場者情報を前記入場者の人体を導通可能な微弱な電気信号に変調して前記接触部から送信する通信部、前記通信部および前記情報格納部が一体形成されたカード型の基板、および前記カード型の基板を収納して前記接触部と前記通信部とを接続するホルダ部を備え、前記接触部は、ネックストラップ、バッジ、ステッカー、腕輪その他前記人体に係留可能もしくは装着可能に構成されている情報提供装置。
【請求項１３】
撮影レンズによって結像した被写体像を撮像素子により光電変換することで画像を取得する撮像部、導電性の接触部、および前記撮像部の取得した画像その他の情報を撮影者の人体を導通可能な微弱な電気信号に変調して前記接触部から送信する通信部を備え、前記接触部は、レリーズスイッチ、グリップ部、指載置部その他前記撮像部による前記画像の取得時において前記撮影者の人体の接触する位置に配置されている撮像装置。
【発明の詳細な説明】
【技術分野】
【０００１】
本発明は人体通信によって情報を収集・記録するシステムに関する。
【背景技術】
【０００２】
従来の撮像装置によって取得した画像は、撮像装置に装着されたリムーバブルメディアその他の単一の記録媒体に、撮影者の別なく混在して記録されるのが通常である。特許文献１〜３はその一例を示す。
【０００３】
また、特定の人物の情報を収集する技術としては、入場許可証に情報を記憶させておき、これを情報登録装置に挿入して読み取らせることで情報を収集する技術が存在する。特許文献４はその一例を示す。
【特許文献１】特開２００４−２６０８００号公報
【特許文献２】特開２００４−１３０７７１号公報
【特許文献３】特開２００５−２０３９６４号公報
【特許文献４】特開２００４−３４８６９６号公報
【発明の開示】
【発明が解決しようとする課題】
【０００４】
ある１つの撮像装置を複数の撮影者が使用する場合、それに装着された記録媒体に画像が記録されると、撮影者の別なく画像が混在して記録されてしまい、セキュリティやプライバシーの点で問題がある。特許文献３のようにセキュリティ情報を付加しても、データを見られる者と見られない者を分けるだけであり、他人の撮影した画像を見るという問題は依然として残る。特許文献４では、入場者がいちいち入場許可証を情報登録装置に挿入する必要があり、面倒である。
【０００５】
本発明はこのような問題点に鑑みてなされたもので、不特定多数のユーザが使用する機器から、ユーザごとに個別に、簡便に情報を収集・記録することを目的とする。
【課題を解決するための手段】
【０００６】
本発明に係る情報記録システムは、撮影レンズによって結像した被写体像を撮像素子により光電変換することで画像を取得する撮像部、導電性の第１の接触部、および撮像部の取得した画像その他の情報を撮影者の人体を導通可能な微弱な電気信号に変調して第１の接触部から送信する第１の通信部を備える撮像装置と、導電性の第２の接触部、第２の接触部から電気信号を受信して撮像部の取得した画像その他の情報に復調する第２の通信部、および第２の通信部の復調した画像その他の情報を可搬性の記録媒体に記録する記録部を備える情報記録装置と、を備える。
【０００７】
この発明によると、撮影者の人体を介して撮像装置側の第１の接触部と情報記録装置側の第２の接触部とが接続された場合に限って撮像装置からの画像などの情報が情報記録装置に到達し、記録される。すなわち、撮像装置を触って操作するユーザは、その撮像装置で自分が撮った画像を、自分の触れている情報記録装置の記録媒体に取り込める。各ユーザの撮った画像が各ユーザの管理する記録媒体のみに記録され、自分の撮った画像が他人の記録媒体に混入して閲覧される可能性はほとんどない。
【０００８】
第１の接触部は、撮像装置に設けられたレリーズスイッチ、グリップ部、指載置部その他撮像部による画像の取得時において人体の接触する位置に配置されていることが好ましい。
【０００９】
すなわち、画像の取得時に必然的に人体が接触する位置に第１の接触部を設ければ、撮影者の人体を介して、撮影者の管理する記録媒体のみに画像が記録される蓋然性が増す。また、画像の人体通信のために特別の位置を触れる必要がない。
【００１０】
情報記録装置は、第２の通信部および記録部が一体形成されたカード型の基板、およびカード型の基板を収納して第２の接触部と第２の通信部とを接続するホルダ部をさらに備えてもよい。
【００１１】
こうすると、カード型の基板を、持ち運び可能な入場許可証などに兼用することも可能である。
【００１２】
第２の接触部は、ネックストラップ、バッジ、ステッカー、腕輪その他人体に係留可能もしくは装着可能に構成されていることが好ましい。
【００１３】
第２の接触部を人体に係留もしくは装着しておけば、通信の度に第２の接触部に人体を接触させる動作が不要であり、情報記録装置の持ち運びも楽である。
【００１４】
本発明に係る情報記録システムは、所定の会場における設置物の近傍に設置された導電性の第１の接触部、設置物に関する情報である設置物情報を格納する情報格納部、および情報格納部に格納されている設置物情報を会場の入場者の人体を導通可能な微弱な電気信号に変調して第１接触部から送信する第１の通信部を備える情報提供装置と、導電性の第２の接触部、第２の接触部から電気信号を受信して設置物情報に復調する第２の通信部、および第２の通信部の復調した設置物情報を可搬性の記録媒体に記録する記録部を備える情報記録装置と、を備える。
【００１５】
この発明によると、入場者の人体を介して情報提供装置側の第１の接触部と情報記録装置側の第２の接触部とが接続された場合に限って情報提供装置からの設置物情報が情報記録装置に到達し、記録される。すなわち、展示会場の展示品などの設置物のうち、ユーザが興味のある設置物の情報を収集したい場合、その設置物の近傍に設置された第１の接触部に触れれば、それだけでユーザ所望の情報を自分の管理する記録媒体に取り込める。
【００１６】
情報記録装置は、第２の通信部および記録部が一体形成されたカード型の基板、およびカード型の基板を収納して第２の接触部と第２の通信部とを接続するホルダ部をさらに備えることが好ましい。
【００１７】
第２の接触部は、ネックストラップ、バッジ、ステッカー、腕輪その他人体に係留可能もしくは装着可能に構成されていることが好ましい。
【００１８】
本発明に係る情報記録システムは、導電性の第１の接触部、所定の会場の入場者に関する情報である入場者情報を格納する情報格納部、および情報格納部に格納されている入場者情報を入場者の人体を導通可能な微弱な電気信号に変調して送信する第１の通信部を備える情報提供装置と、所定の会場における設置物の近傍に設置された導電性の第２の接触部、第２の接触部から電気信号を受信して入場者情報に復調する第２の通信部、および第２の通信部の復調した入場者情報を所定の記録媒体に記録する記録部を備える情報記録装置と、を備える。
【００１９】
この発明によると、所定の会場における設置物（集合物、無体物でも可）の近傍に第１の接触部が設置されており、特定の設置物に興味を持った入場者がその設置物の近傍の第１の接触部に触れると、その入場者の情報提供装置から、入場者に関する情報が入場者の人体を介して情報記録装置に送信されて記録される。
【００２０】
会場の運営者からすれば、会場の特定の設置物に対する入場者の興味や反応を、その設置物近傍の第１の接触部に触れた入場者の人体を介して受信した入場者情報によって分析でき、情報収集が容易かつ効率的である。入場者からすれば、設置物近傍の第１の接触部に触れれば情報収集が終わるから、アンケート用紙への情報の記入やカード読み取りなどの特別な動作をする必要がない。
【００２１】
情報提供装置は、第１の通信部および情報格納部が一体形成されたカード型の基板、およびカード型の基板を収納して第１の接触部と第１の通信部とを接続するホルダ部をさらに備えることが好ましい。
【００２２】
第１の接触部は、ネックストラップ、バッジ、ステッカー、腕輪その他人体に係留可能もしくは装着可能に構成されていることが好ましい。
【００２３】
本発明に係る情報記録装置は、導電性の接触部、接触部から人体を導通可能な微弱な電気信号を受信して画像その他の情報に復調する通信部、および通信部の復調した画像その他の情報を可搬性の記録媒体に記録する記録部、通信部および記録部が一体形成されたカード型の基板、およびカード型の基板を収納して接触部と通信部とを接続するホルダ部を備え、接触部は、ネックストラップ、バッジ、ステッカー、腕輪その他人体に係留可能もしくは装着可能に構成されている。
【００２４】
こうすると、単に情報記録装置を人体に係留または装着するだけで人体を接触部に接触させることができ、それ以外には特別な動作の必要なく人体通信による情報収集を行うことが可能である。また、持ち運びも容易であり、持ち運び可能な入場許可証などと兼用できる。
【００２５】
本発明に係る情報提供装置は、導電性の接触部、所定の会場の入場者に関する情報である入場者情報を格納する情報格納部、および情報格納部に格納されている入場者情報を入場者の人体を導通可能な微弱な電気信号に変調して接触部から送信する通信部、通信部および情報格納部が一体形成されたカード型の基板、およびカード型の基板を収納して接触部と通信部とを接続するホルダ部を備え、接触部は、ネックストラップ、バッジ、ステッカー、腕輪その他人体に係留可能もしくは装着可能に構成されている。
【００２６】
こうすると、単に情報提供装置を人体に係留または装着するだけで人体を接触部に接触させることができ、それ以外には特別な動作なく人体通信による情報提供を行うことが可能である。また、持ち運びも容易であり、持ち運び可能な入場許可証などと兼用できる。
【００２７】
本発明に係る撮像装置は、撮影レンズによって結像した被写体像を撮像素子により光電変換することで画像を取得する撮像部、導電性の接触部、および撮像部の取得した画像その他の情報を撮影者の人体を導通可能な微弱な電気信号に変調して接触部から送信する通信部を備え、接触部は、レリーズスイッチ、グリップ部、指載置部その他撮像部による画像の取得時において撮影者の人体の接触する位置に配置されている。
【００２８】
このように、画像の取得時に必然的に人体が接触する位置に接触部を設ければ、撮影者の人体を介して、撮影者の管理する記録媒体のみに画像が記録される蓋然性が増す。また、画像の人体通信のために、特別の位置を触れる必要がない。
【発明の効果】
【００２９】
この発明によると、人体を介して撮像装置側の第１の接触部と情報記録装置側の第２の接触部とが接続された場合に限って撮像装置からの画像などの情報が情報記録装置に到達し、記録される。すなわち、撮像装置を触って操作するユーザは、その撮像装置で自分が撮った画像を、自分の触れている情報記録装置の記録媒体に取り込める。各ユーザの撮った画像が各ユーザの管理する記録媒体のみに記録され、自分の撮った画像が他人の記録媒体に混入して閲覧される可能性はほとんどない。
【発明を実施するための最良の形態】
【００３０】
以下、添付した図面を参照し本発明の好ましい実施の形態を説明する。
【００３１】
＜第１実施形態＞
図１は本発明の好ましい第１の実施形態に係る情報記録システム４００の概略構成図である。この情報記録システム４００は、撮影装置（以下カメラと略す）１００と情報記録装置３００とを備える。
【００３２】
情報記録装置３００は、人体通信電極３００ａ、記録部３００ｂ、カードホルダー３００ｃを備える。人体通信電極３００ａは、ネックストラップ、バッジ、ステッカー、腕輪その他人体２に係留または装着可能な形態に構成されている。カードホルダー３００ｃは、人体通信電極３００ａを係留するとともに、記録部３００ｂを収納して人体通信電極３００ａと記録部３００ｂとを電気的に接続する。
【００３３】
カメラ１００には、ストラップ型の人体通信電極１４４が設けられている。人体通信電極３００ａが人体２の一部である首に係留されるなどして人体２に装着され、かつ人体通信電極１４４がユーザの手その他の人体２に触れることで、情報記録装置３００とカメラ１００とが人体２を介して電気的に接続し、通信可能となる。
【００３４】
なお、図示の情報記録装置３００や人体通信電極１４４の形態は、あくまで一例であり、これに限る必然性はない。
【００３５】
カメラ１００には人体２の人体通信電極１４４への接触を静電容量の変化などで検知するタッチセンサを設けてもよい。情報記録装置３００には人体通信電極３００ａへの接触を静電容量の変化などで検知するタッチセンサを設けてもよい。
【００３６】
送信側となるカメラ１００（送信側は情報記録装置３００も可）は、画像データその他の情報を、数百マイクロアンペア程度の微弱電流として数十ｋＨｚ〜数百ｋＨｚに変調し、人体通信電極１４４に接触した人体２を介して受信側に送信する。受信側となる情報記録装置３００（受信側はカメラ１００も可）は、人体通信電極３００ａに接触した人体２を介して微弱電流を受信し、これを情報に復調する。これにより、カメラ１００と情報記録装置３００との間で数十ｋｂｐｓでのデータ通信が可能であり、例えば１２８ビットの情報を数十ミリ秒で送信することができる。この通信の状態は、人体２と人体通信電極１４４および人体通信電極３００ａおよびの接触状態に左右されるので、数回から数十回重複して情報を送信することが望ましい。
【００３７】
図２は記録部３００ｂの正面図である。記録部３００ｂは、可搬性のメモリカード２００（ただしリムーバブルメディアでなく内蔵メモリと置換してもよい）を収容するカード収容部３００ｂ−３、カード収容部３００ｂ−３に収納されたメモリカード２００と接触して導通する電極であるカードコネクタ３００ｂ−１、カードコネクタ３００ｂ−１を経由したメモリカード２００へのデータ書き込みやメモリカード２００からのデータ読み込みを行うインターフェースや人体２を介してデータを送受信する回路が一体に形成されたプリント基板３００ｂ−２を備えている。
【００３８】
プリント基板３００ｂ−２は持ち運びに好適なカード型の形状およびサイズで構成されており、表面には「入場許可証」その他入場を許可したことを証する文言を印刷することで、展示会場、アミューズメントパーク、パーティ会場などへの入場の許可証を兼ねることができる。プリント基板３００ｂ−２には、内蔵メモリへのデータ書き込み／読出しを司るインターフェースを設けてもよい。また、プリント基板３００ｂ−２には、人体通信電極３００ａに人体２が接触したことを静電容量の変化などで検知するタッチセンサを設けてもよい。
【００３９】
図３はカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００４０】
また、カメラ１００には、撮影画像や再生画像等を表示するための画像表示ＬＣＤ１０２と、操作の手助けを行なうための操作ＬＣＤ表示１０３が備えられている。
【００４１】
このカメラ１００にはレリーズスイッチ１０４が配備されている。このレリーズスイッチ１０４によって撮影の開始指示がメインＣＰＵ２０へと伝えられる。このカメラ１００では所定のメニュー画面によって撮影と再生との切り替えが自在になっている。また、カメラ１００には、閃光を発光するストロボ１０５ａを有する閃光発光装置が配備されている。
【００４２】
また、カメラ１００には、撮影レンズ１０１と、絞り１３１と、それら撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００４３】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００４４】
また、カメラ１００には、ＣＣＤセンサ１３２からのアナログ画像信号が表わす被写体像のホワイトバランスを合わせるとともにその被写体像の階調特性における直線の傾き（γ）を調整し、さらにアナログ画像信号を増幅する増幅率可変の増幅器を含む白バランス・γ処理部１３３が備えられている。
【００４５】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００４６】
Ａ／Ｄ変換部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００４７】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００４８】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００４９】
ＣＧ部１３６は、ＣＣＤセンサ１３２を駆動するための垂直同期信号ＶＤ、高速掃き出しパルスＰを含む駆動信号、白バランス・γ処理部１３３、Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００５０】
測光・測距用ＣＰＵ１３７は、ズーム用モータ１１０、フォーカス用モータ１１１、絞り調整を行う絞り用モータ１１２を制御してズームレンズ１０１ａ、フォーカスレンズ１０１ｂ、絞り１３１をそれぞれ駆動することにより測距を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００５１】
なお、ズームレンズ１０１ａ、フォーカスレンズ１０１ｂ、絞り１３１の駆動源は、ズーム用モータ１１０、フォーカス用モータ１１１、絞り用モータ１１２のような各種モータに限定する必然性はなく、アクチュエータなどであってもよい。
【００５２】
測光・測距用ＣＰＵ１３７は、レリーズスイッチ１０４が半押し（Ｓ１オン）されると、ＣＣＤ１３２によって周期的（１／３０秒から１／６０秒ごと）に得られる画像データに基づいて被写体の明るさの測光（ＥＶ値の算出）を行う。
【００５３】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００５４】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００５５】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００５６】
ＡＥ動作は、絞り優先ＡＥ、シャッタ速度優先ＡＥ、プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００５７】
ＡＦ検出部１５０は、測光・測距用ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距用ＣＰＵ１３７がフォーカス用モータ１１１を駆動制御してフォーカスレンズ１０１ｂを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距用ＣＰＵ１３７に送信する。
【００５８】
測光・測距用ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距用ＣＰＵ１３７の指令に応じてフォーカスレンズ１０１ｂを合焦位置に移動させる（ＡＦ動作）。
【００５９】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１０が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００６０】
充電・発光制御部１３８は，ストロボ１０５ａを発光させるために電源電池６８からの電力の供給を受けて図示しない閃光発光用のコンデンサを充電したり、そのストロボ１０５ａの発光を制御する。
【００６１】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距用ＣＰＵ１３７から取り込んだことに応じ、セルフタイマランプ１０５ｃやＡＦ補助光ランプ１０５ｂへの電流供給制御を行い、所望の発光量が所望のタイミングで得られるように制御する。
【００６２】
なお、セルフタイマランプ１０５ｃはＬＥＤで構成してもよく、ＡＦ補助光ランプ１０５ｂを構成するＬＥＤと共通にしてもよい。
【００６３】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距用ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００６４】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行なう通常のカメラが有するＩＳＯ感度８０，１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００６５】
また、カメラ１００には、圧縮・伸長＆ＩＤ抽出部１４３と、人体通信電極１４４が備えられている。圧縮・伸長＆ＩＤ抽出部１４３は、バッファメモリ１３５に格納された画像データを、バスライン１４２を介して読み出して圧縮し、人体２を導通する微弱電気信号に変調した上、人体通信電極１４４を経由して情報記録装置３００に送る。
【００６６】
情報記録装置３００は、人体２を介してカメラ１００から受信した電気信号を画像データに復調し、メモリカード２００に格納する。ただし情報記録装置３００やメモリカード２００は、カメラ１００の内蔵回路ではない。
【００６７】
圧縮・伸長＆ＩＤ抽出部１４３の圧縮した画像データは、カメラ１００に内蔵のフラッシュメモリ１５２に格納してもよいが、不特定多数の撮影者が撮影した画像データを混在させないため、画像データはメモリカード２００のみに格納されるものとする。メモリカード２００はスマートメディア、コンパクトフラッシュその他の可搬性の記録媒体と置換されてもよい。
【００６８】
圧縮・伸長＆ＩＤ抽出部１４３は、メモリカード２００に格納された画像データの読み出しも可能であり、その際はメモリカード２００固有の識別番号（ＩＤ）を抽出し、そのメモリカード２００に格納された画像データを読み出して伸長し、バッファメモリ１３５に格納する。
【００６９】
また、カメラ１００には、メインＣＰＵ２０と、ＥＥＰＲＯＭ１４６と、ＹＣ／ＲＧＢ変換部１４７と、表示用ドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００７０】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００７１】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００７２】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００７３】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池が寿命に達しない限り、ＲＴＣ１５等の基本機能には、電源供給が間断なく継続する。
【００７４】
ＲＴＣ（Real Time Clock）１５は計時専用のチップであり、電源電池６８やＡＣアダプタ４８からの給電がオフされていてもバックアップ電池から電源供給を受けて継続的に動作する。
【００７５】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００７６】
メニューにより「再生」が選択されると、メモリカード２００に記録されている最終の画像ファイル（最後に記録されたファイル）の圧縮データが読み出される。最後の記録に係るファイルが静止画ファイルの場合、この読み出された画像圧縮データは、圧縮・伸長＆ＩＤ抽出部１４３を介して非圧縮のＹＣ信号に伸長され、バッファメモリ１３５に保存される。バッファメモリ１３５に保存されたＹＣ信号は、ＹＣ／ＲＧＢ変換部１４７に加えられる。ＹＣ／ＲＧＢ変換部１４７は、入力するＹＣ信号からＮＴＳＣ方式のカラー複合映像信号を作成し、これを表示用ドライバ１４８を経由して画像表示ＬＣＤ１０２に出力する。これにより、液晶パネル７１にはメモリカード２００に記録されている最終コマのコマ画像が表示される。
【００７７】
その後、十字キー１２４の右キー（順コマ送りスイッチ）が押されると、順方向にコマ送りされ、左キー（逆コマ送りスイッチ）が押されると、逆方向にコマ送りされる。そして、コマ送りされたコマ位置の画像ファイルがメモリカード２００から読み出され、上記と同様にしてコマ画像が液晶パネル７１で再生される。尚、最終コマのコマ画像が表示されている状態で順方向にコマ送りされると、メモリカード２００に記録されている１コマ目の画像ファイルが読み出され、１コマ目のコマ画像が液晶パネル７１で再生される。
【００７８】
なお、メインＣＰＵ２０、十字キー１２４、圧縮・伸長＆ＩＤ抽出部１４３、バッファメモリ１３５、ＹＣ／ＲＧＢ変換部１４７、画像表示ＬＣＤ１０２を情報記録装置３００に設け、情報記録装置３００で画像を再生できるようにしてもよい。
【００７９】
図４は情報記録システム４００の利用例を示す。
【００８０】
まず、展示会を利用しようとする不特定のユーザ２−１、２−２・・の各々に対し、主催者側が入場許可証として情報記録装置３００−１、３００−２・・を配布する。情報記録装置３００−１、３００−２・・には、それぞれメモリカード２００−１、２００−２・・が挿入されている。ユーザは受けとった情報記録装置３００のネックストラップ型人体通信電極３００ａを首にかけるなどして、自分の人体２−１、２−２・・と接触させる。
【００８１】
展示会場では、水気のある所には防水機能のあるカメラ１００、暗い所には高感度のカメラ１００など各々特色の分かる形で展示されている。ユーザは、所望のカメラ１００の性能を実際に撮影を行うことで確かめる。例えばユーザ２−１が、あるカメラ１００−Ａ、１００−Ｂ・・の画像の写り具合を、実際に画像データを入手することで確かめたければ、カメラ１００−Ａ、１００−Ｂ・・の下に行き、カメラ１００−Ａ、１００−Ｂ・・をそれぞれ操作して画像取得動作を行う。カメラ１００−Ａ、１００−Ｂ・・はそれぞれ、取得した画像データを、人体通信電極１４４に触れたユーザ２−１の人体を介してただちに情報記録装置３００−１に送る。なお、人体通信電極１４４に人体が触れていることが検知されたことに応じて画像データの送信を開始してもよい。情報記録装置３００−１は、人体通信電極３００ａに触れたユーザ２−１の人体を介して、カメラ１００から画像データを受信し、この画像データをメモリカード２００−１に記録する。
【００８２】
さらに別のユーザ２−２がカメラ１００−Ａ、１００−Ｂ・・の画像の写り具合を、実際に画像データを入手することで確かめたければ、カメラ１００−Ａ、１００−Ｂ・・の下に行き、カメラ１００−Ａ、１００−Ｂ・・それぞれを操作して画像取得動作を行う。この際、カメラ１００−Ａ、１００−Ｂ・・はそれぞれ、取得した画像データを、ユーザ２−２の人体を介してただちに情報記録装置３００−２に送る。情報記録装置３００−２は、人体通信電極３００ａに触れたユーザ２−２の人体を介して、カメラ１００から受信した画像データをメモリカード２００−２に記録する。情報記録装置３００−２は、画像データの送信元であるカメラ１００−Ａ、１００−Ｂ・・ごとにフォルダを作成して画像データを分別して格納してもよい。
【００８３】
カメラ１００−Ａ、１００−Ｂ・・は、人体の触れた各ユーザ２−１、２−２・・の所持している情報記録装置３００−１、３００−２・・に、個別に画像データを送る。従って、各ユーザが同じカメラ１００によって画像取得動作を行っても、各情報記録装置３００−１、３００−２・・に個別に装着されたメモリカード２００−１、２００−２・・ごとに個別に記録され、同じメモリカード２００や同じカメラ１００に別々のユーザが記録した画像が混在することはない。
【００８４】
また、各ユーザ２−１、２−２・・は、自分の所持しているメモリカード２００−１、２００−２・・に、自分が実際に各カメラ１００−Ａ、１００−Ｂ・・を操作して記録した画像データを一括して保持できる。このメモリカード２００−１、２００−２・・を、図示しないパソコンなどに読み出して、あるいは情報記録装置３００自身で表示することで、各ユーザは自分自身の撮った画像の具合を確認できる。逆に、自分のメモリカード２００には他のユーザが撮った画像は記録されないため、他人の画像を見ることはないし、他人の撮った不要な画像をフォルダへ分類したり削除したりする手間も必要ない。
【００８５】
＜第２実施形態＞
カメラ１００の人体通信電極１４４の形状は、ストラップ型に限定されない。
【００８６】
図５は人体通信電極１４４の形状の一例を示す。
【００８７】
例えば図５（ａ）に示すように、人体通信電極１４４は、カメラ１００のボディ側部のグリップ部分１８０やレリーズスイッチ１０４の上面や周辺に設けられてもよい。
【００８８】
あるいは図５（ｂ）に示すように、人体通信電極１４４は、レンズ鏡胴６０の側部のグリップ部分１８０の上面や周辺に配置してもよい。
【００８９】
あるいは図５（ｃ）に示すように、人体通信電極１４４は、カメラ１００の背面部の親指載置部分１８１の上面や周辺に設けられてもよい。
【００９０】
レリーズスイッチ１０４、グリップ部分１８０、あるいは親指載置部分１８１は、ユーザが撮影指示を行う際にそのユーザの人体２が必然的に接触する部位であるから、人体通信を行うに際し、人体２の人体通信電極１４４への接触確保を、ユーザが特別意識する必要がない。
【００９１】
＜第３実施形態＞
情報記録装置３００の通信の相手方はカメラ１００に限られない。
【００９２】
図６は第３実施形態に係る情報記録システム４００の概略構成図である。このシステムは、人体通信電極１４４から人体２を介して所定の情報を送信する情報提供装置６００と、人体２を介して所定の情報を受信しメモリカード２００に記録する情報記録装置３００とを備える。情報記録装置３００の構成は第１実施形態と同様である。
【００９３】
人体通信電極１４４は、展示会場の展示品やテーマパークのアトラクションの付近に設置される。情報提供装置６００が送信する情報は、展示品に関するカタログに相当する情報やアトラクションの内容に関する情報などが送信される。入場者が、展示品などに関する情報を入手したい場合は、その付近にある人体通信電極１４４に触れれば、自身の所持している情報記録装置３００によってメモリカード２００に記録することができる。こうすれば、多数の展示品やアトラクションが存在する会場で、入場者がパンフレットを持ち歩く面倒がなくなるし、紙資源の節約にもなる。
【００９４】
なお、同じ人物が複数のメモリカード２００に同じ情報を同時に記録したい場合は、複数の情報記録装置３００を人体２に係留または装着すればよい。
【００９５】
＜第４実施形態＞
第３実施形態とは逆に、入場者が持ち歩く情報提供装置６００から、入場者に関する情報を主催者側が収集するシステムを展示会場などに設置することもできる。
【００９６】
すなわち、図７に示すように、情報提供装置６００は、ネックストラップなど人体２に係留または装着可能な人体通信電極６００ａ、入場者の個人情報その他入場者に関する情報（入場者情報）を記録したＩＣチップ６００ｄ、ＩＣチップ６００ｄの情報を読み出して人体２を導通可能な微弱電気信号に変調し、この信号を人体通信電極６００ａに接触した人体２から送出する人体通信回路などがカード型のプリント基板に一体構成された送信部６００ｂ、人体通信電極６００ａを係留しかつ送信部６００ｂを収納して、人体通信電極６００ａと送信部６００ｂの人体通信回路とを電気的に接続するカードホルダー６００ｃを備える。
【００９７】
情報提供装置６００のプリント基板には「入場許可証」などの文字が印刷されており、会場への入場許可証を兼ねている。人体通信電極６００ａは人体２に装着可能であり、入場者が首にかけるなどすると、必然的に人体２が接触する。
【００９８】
ＩＣチップ６００ｄとしては、入場者情報を適宜更新可能な非接触式ＩＣチップとすることが好適である。ＩＣチップ６００ｄには、入場者の性別、年齢、職種、所属会社名などの入場者情報を、受け付けなどに設置された非接触式ＩＣ用ライタなどを使用して書き込んでおく。
【００９９】
図８は第４実施形態に係る情報記録システムの概略構成図である。
【０１００】
このシステムは、スチルカメラ（カメラ１００と同様の構成でも可）、ムービーカメラ、パソコンその他の展示品８００の極めて近い位置に設けられた人体通信電極３００ａ、あるいは展示品８００のパンフレットを収納した収納箱７００に設けられた人体通信電極３００ａを介して接続された記録部３００ｂであるメインＰＣ（以下メインＰＣ３００ｂで表す）が、人体２を介して接続された情報提供装置６００から入場者情報を受信して記録する。
【０１０１】
展示品８００の近傍に設置される人体通信電極３００ａは、入場者が展示品８００に興味を持って触れると、必然的に人体通信電極３００ａにも触れるような位置（例えば図５を参照）に設置する。
【０１０２】
図９はパンフレットの収納箱７００の斜視図である。収納箱７００は複数の引き出し７００ａを有しており、引き出し７００ａに設けられた把手７００ｂを入場者が手前に引っ張ることで、容体部７００ｃに収納されたパンフレットＰを入手できる。把手７００ｂの周囲もしくは表面には、人体通信電極３００ａが設けられているため、ユーザがパンフレットＰを入手しようとして把手７００ｂに触れると、必然的に人体通信電極３００ａが人体２に接触する。
【０１０３】
情報提供装置６００は定期的に、人体通信電極３００ａから情報要求信号を発信する。展示会の入場者が興味を持った展示品８００やパンフレットの収納された引き出し７００ａの把手７００ｂに触れると、人体通信電極３００ａから人体２を経由して情報要求信号が情報提供装置６００に到達する。情報提供装置６００は、情報要求信号を検知したことに応じて、ＩＣチップ６００ｄに予め記録されている入場者に関する情報を読出し、人体通信電極６００ａに触れた人体２を介してメインＰＣ３００ｂに送信する。
【０１０４】
メインＰＣ３００ｂは、人体通信電極３００ａに触れた人体２を介して入場者情報を受信し、この入場者情報に、人体２の接触が検知された人体通信電極３００ａの設けられた展示品８００もしくはパンフレットの識別番号、入場者情報の受信日付、同一の入場者情報を受信した回数、人体２の接触の検知された総時間その他の付帯情報を対応づけて図示しないハードディスクなどに格納する。
【０１０５】
このように、メインＰＣ３００ｂは、展示品８００や収納箱７００を触れた入場者が所持している情報提供装置６００から、その入場者に関する情報を受信し格納する。すなわち、主催者側からすれば、不特定多数の入場者が訪れる展示場において、特定の展示品８００や特定のパンフレットを収納した引き出し７００ａの把手７００ｂに触れた入場者に関する統計情報や、特定の入場者が関わった展示品に関する情報を即座にかつ容易に収集でき、展示品に対する入場者の興味や反応をただちに把握できる。
【０１０６】
入場者の側からしても、自分が興味を持った展示品８００やパンフレットの引き出し７００ａの把手７００ｂに触れさえすれば入場者情報を提供できるから、所定のアンケート用紙などに情報をいちいち記入していく負担がない。
【図面の簡単な説明】
【０１０７】
【図１】第１実施形態に係る情報記録システムの概略構成図
【図２】第１実施形態に係る記録部の正面図
【図３】カメラのブロック構成図
【図４】展示会場においてユーザが展示品のカメラを使用していく様子を示す図
【図５】第２実施形態に係るカメラに設けられた人体通信電極の一例を示す図
【図６】第３実施形態に係る情報記録システムの概略構成図
【図７】第４実施形態に係る情報記録システムの概略構成図
【図８】第４実施形態に係る情報記録システムの概略構成図
【図９】パンフレットの収納箱の斜視図
【符号の説明】
【０１０８】
２：人体、１００：撮影装置（カメラ）、３００：情報記録装置、３００ａ：人体通信電極、３００ｂ：記録部、６００：情報提供装置、７００：収納箱、７００ａ：引き出し、７００ｂ：把手、７００ｃ：容体部、８００：展示品
【図１】
2007288493.tif 000003
【図２】
2007288493.tif 000004
【図３】
2007288493.tif 000005
【図４】
2007288493.tif 000006
【図５】
2007288493.tif 000007
【図６】
2007288493.tif 000008
【図７】
2007288493.tif 000009
【図８】
2007288493.tif 000010
【図９】
2007288493.tif 000011